(57)【要約】【技術課題】  直接彫刻等を施すことなく仏壇のデザインにマッチしたデザインであって、安価に製作できる装飾された丁番を提供する。【解決手段】  取付板６、６ａの一部に窓穴７、７ａを形成し、この窓穴７、７ａの裏側にデザイン板８を張り合わせることにより、前記取付板６、６ａの窓穴７、７ａを介してデザイン板８に表わされたデザイン９、９ａが現れるため、仏壇１のデザインにマッチしたデザインの丁番３となり、従来のように丁番３が異質感を観る者に与えるということがなくなる。また、デザイン板８を丁番３の取付板６、６ａの裏面に張り合わせるだけのため、製造コストも安い。【選択図】        図  ３
0003115183.tif 000002
【実用新案登録請求の範囲】
【請求項１】
取付板の一部に窓穴を形成すると共に、この窓穴の裏側にデザイン板を張り合わせることにより、丁番を被取付物に取り付けた際、前記窓穴を介してデザイン板に表わされたデザインが取付板の表面に現れるように構成して成る装飾性を高めた丁番。
【請求項２】
前記デザイン板は、紙又は布又は樹脂又は木材又は金属等から成ることを特徴とする請求項1に記載の丁番。
【請求項３】
前記窓穴及びデザイン板を取付板の左右双方に、又は一方にのみ形成して成る請求項１又は請求項２に記載の丁番。
【考案の詳細な説明】
【技術分野】
【０００１】
本考案は、仏壇及び各種家具等に用いられる丁番に関し、更に詳しくは、丁番の取付板の部分に、各種模様等を安いコストにより現わしてその装飾性を高めるように工夫した丁番に関するものである。
【背景技術】
【０００２】
丁番は、仏壇の扉や家具等において、扉を開閉自在に取り付けるための金物であって、この丁番は、扉の開閉だけ用いられる場合には特にデザインについては考慮されないが、仏壇とか高級家具等の扉の場合、丁番が表に現れる場合があり、このような際は、仏壇や家具のデザインにマッチしたデザインの丁番が求められている。そこで、従来は、取付板の輪郭に工夫を凝らしたり、取付板の表面にわざわざ彫刻等を施している。
【０００３】
現在、丁番に装飾面を直接形成したものとして、実用新案登録第３０６８６３０号登録実用新案公報に掲載されたものが公知である。
しかし、取付板に直接加工を施すと、コストがかかると共にデザイン的には限界があり、また公報に掲載のものの場合は、丁番に対して装飾用のパネルを別に取り付けたりしていて、この場合もコストがかかる。
【特許文献１】登録実用新案公報第３０６８６３０号
【考案の開示】
【考案が解決しようとする課題】
【０００４】
本考案は斯る点に鑑みて提案されるものであって、その目的は、安いコストで装飾性の高い丁番を提供することである。
【課題を解決するための手段】
【０００５】
上記目的を達成するため、請求項１に記載の考案においては、装飾性を高めた丁番において、取付板の一部に窓穴を形成すると共に、この窓穴の裏側にデザイン板を張り合わせることにより、丁番を被取付物に取り付けた際、前記窓穴を介してデザイン板に表わされたデザインが取付板の表面に現れるように構成して成ることを特徴とするものである。
【０００６】
更に、請求項２に記載の考案においては、請求項１に記載の丁番において、前記デザイン板は、紙又は布又は樹脂又は木材又は金属等から成ることを特徴とするものである。
【０００７】
更に、請求項３に記載の考案においては、請求項１又は請求項２に記載の丁番のおいて、前記窓穴及びデザイン板を取付板の左右双方に、又は一方にのみ形成して成ることを特徴とするものである。
【０００８】
［作用］
丁番としての取付け方は、従来例と変らない。仏壇や家具等に取り付けられた丁番の取付板が露出していると、取付板の窓穴のところから裏に張りつけられたデザイン板側のデザインが露出することにより、外観的には取付板に直接デザインが現わされている印象を観る者に与える。この結果、例えば仏壇のデザインに調和したデザイン丁番が得られる。
【考案の効果】
【０００９】
１．取付板側には窓穴を形成し、この窓穴の裏側にデザイン板を張りつけ、丁番には直    接デザインを施さないため、安いコストで装飾丁番を製作し、販売することができる    。
２．デザイン板のデザインは任意のため、仏壇や家具にマッチしたデザインのものをデ    ザイン板の中から選択し、これを丁番に組み合わせることができるので、デザインの    多様化を図ることができる。
３．デザイン板のデザインが劣化した場合には、このデザイン板を新規のものと交換す    ることにより、デザインの劣化により丁番の部分の装飾性が悪化するのを防止できる    。
【実施例】
【００１０】
図１〜図６に基づいて、上記した丁番の実施例を詳細に説明する。図１において、１は仏壇、２はこの扉、３は丁番であって、この丁番３は、図１、２に示すように、扉２を２つ折りとする折り畳み部に用いられており、丁番３は、扉２を２つに折り畳んだとき、その枠面に全体が露出する。この丁番３は、図３及び図４に示すように、取付板６、６ａを中間のヒンジ軸５の左右に連結した構成から成る。そして、この取付板６、６ａには窓穴７、７ａが形成されていて、この裏面には表面にデザイン９、９ａを施したデザイン板８が張り合わされている。
【００１１】
本実施例において、デザイン板８は紙製であり、表面にはデザイン９、９ａが印刷インキを用いて印刷されている。したがって、この印刷の技法を採ることにより、デザイン９、９ａは無限となる。勿論、着色も自由である。但し、デザイン板８は紙以外に樹脂、木材、金属、布等を用いてもよく、この素材によっては、デザインがある程度制限を受ける場合もあるが、逆に、素材感、質感をデザインにおいて強調することも可能である。
【００１２】
図４は取付板６、６ａの裏面に接着剤１０を用いてデザイン板８を張り合わせた例である。
なお、本実施例の場合、デザイン板８は１枚ものであるが、図６に示すように左右の取付板６、６ａ用に２枚に分割したものをそれぞれ張り合わせるようにしても良い。この分割は、樹脂や、金属、木材においては必須であり、紙や布の場合には１枚ものでも構わない。
符号の１１は丁番３側のビス孔、１２はデザイン板８側のビス孔、１３は丁番３を止めているビスである。
なお、図５に示すように、デザイン板８の裏面に離型紙４ａ付の感圧接着剤層４を形成し、取り付けに際して離型紙４ａを剥がしてビス止め前の仮止めに役立てるようにしても良い。
上記実施例において、デザイン板８は、取付板６、６ａの裏面に接着剤１０を用いて張り合わせているが、丁番３の取り付け時に多少手間はかかるが、接着剤１０等を用いずに、デザイン板８を取付板６、６ａの裏に挟み込み、取付板６、６ａを被取付部にビス止めするときに、このビス１３で一緒に止めるようにしても良い。
【図面の簡単な説明】
【００１３】
【図１】仏壇の扉に本考案に係る丁番を用いた例の説明図
【図２】丁番部分の拡大図
【図３】（Ａ）は丁番、（Ｂ）はデザイン板の説明図
【図４】丁番の裏側にデザイン板を張り合わせた状態の説明図
【図５】Ａ−Ａ´線断面図
【図６】左右に分割したときのデザイン板の一方を示す説明図
【符号の説明】
【００１４】
１  仏壇
２  扉
３  丁番
４  接着剤層
４ａ  離型紙
５  ヒンジ軸
６、６ａ  取付板
７、７ａ  窓穴
８  デザイン板
９、９ａ  デザイン
１０  接着剤
１１、１２  ビス孔
１３  ビス
【図１】
0003115183.tif 000003
【図２】
0003115183.tif 000004
【図３】
0003115183.tif 000005
【図４】
0003115183.tif 000006
【図５】
0003115183.tif 000007
【図６】
0003115183.tif 000008